(57)【要約】【課題】凹面反射鏡の外面にハトメ部材を介して端子部材が設けられている光源装置において、ハトメ部材の破損を防止することにより端子部材が脱落することなく凹面反射鏡に強固に保持される光源装置の提供。【解決手段】高圧放電ランプと、この高圧放電ランプを取り囲む凹面反射鏡とを具えるもの光源装置において、凹面反射鏡には、高圧放電ランプから伸びるランプ給電線が挿通される孔を有するハトメ部材が当該凹面反射鏡の壁を貫通して伸びるように設けられていると共に、ランプ給電線と外部給電線とを電気的に接続するための端子部材が設けられており、端子部材は、ハトメ部材により凹面反射鏡の外面との間に挟圧されて固定された固定部と、この固定部に連続して形成された、外部給電線を接続するためのネジ機構を有する接続部と、この接続部に連続して形成された、少なくとも一部が凹面反射鏡の外面に当接する支脚部とを有することを特徴とする。【選択図】図１
0003168417.tif 000002
【実用新案登録請求の範囲】
【請求項１】
高圧放電ランプと、この高圧放電ランプを取り囲む凹面反射鏡とを具える光源装置において、
前記凹面反射鏡には、前記高圧放電ランプから伸びるランプ給電線が挿通される孔を有するハトメ部材が当該凹面反射鏡の壁を貫通して伸びるように設けられていると共に、前記ランプ給電線と外部給電線とを電気的に接続するための端子部材が設けられており、
前記端子部材は、前記ハトメ部材により前記凹面反射鏡の外面との間に挟圧されて固定された固定部と、この固定部に連続して形成された、前記外部給電線を接続するためのネジ機構を有する接続部と、この接続部に連続して形成された、少なくとも一部が前記凹面反射鏡の外面に当接する支脚部とを有することを特徴とする光源装置。
【請求項２】
前記端子部材における前記固定部は、前記凹面反射鏡の外面に沿って伸びる板状体よりなり、前記端子部材における前記接続部は、前記固定部の一縁から前記凹面反射鏡の外面と離間する方向に伸びる板状体よりなり、前記端子部材における前記支脚部は、前記接続部の一縁から前記凹面反射鏡の外面に向かって伸びる板状体よりなることを特徴とする請求項１に記載の光源装置。
【請求項３】
前記固定部と前記接続部とのなす角が１２０〜１４５°であり、前記接続部と前記支脚部とのなす角が３０〜９０°であることを特徴とする請求項２に記載の光源装置。
【考案の詳細な説明】
【技術分野】
【０００１】
本考案は、高圧放電ランプと、この高圧放電ランプを取り囲む凹面反射鏡とを具える光源装置に関する。
【背景技術】
【０００２】
例えばプロジェクタなどの光源として用いられる光源装置においては、高圧放電ランプと、この高圧放電ランプを取り囲む凹面反射鏡とが具えられており、この高圧放電ランプと外部電源との電気的接続を確保するための端子部材が、当該凹面反射鏡の外面に設けられている。この端子部材は、ハトメ部材によってかしめられることにより凹面反射鏡に保持される構造が一般的である。
【０００３】
このような光源装置は、具体的には、図５および図６に示すように、高圧放電ランプ１０と、この高圧放電ランプ１０を取り囲む凹面反射鏡２０とが具えられ、この凹面反射鏡２０には、高圧放電ランプ１０から伸びるランプ給電線４０が挿通される孔２２ｃを有するハトメ部材２２が凹面反射鏡２０の内面から外面に貫通して伸びるように設けられていると共に、ランプ給電線４０および外部給電線４１を電気的に接続するための端子部材５１が設けられている。
【０００４】
ハトメ部材２２は、凹面反射鏡２０に形成された、当該凹面反射鏡２０の内面から外面に貫通する貫通孔２０ａに挿通される筒部２２ｂと、この筒部２２ｂの外径より大きい外径を有する円環状の鍔部２２ａとにより構成されている。
端子部材５１は、ハトメ部材２２により凹面反射鏡２０の外面との間に挟圧されて固定された固定部５１ａと、この固定部５１ａに連続して形成された、外部給電線４１を接続するためのネジ機構６０を有する接続部５１ｂとにより構成されている。端子部材５１における固定部５１ａは、凹面反射鏡２０の外面に沿って伸びる板状体よりなり、接続部５１ｂは、固定部５１ａの一縁から凹面反射鏡２０の外面から離間する方向に伸びる板状体により構成されている。固定部５１ａには、ハトメ部材２２の筒部２２ｂが挿通される筒部用孔が形成され、接続部５１ｂには、外部給電線４１を接続するためのネジおよびネジ穴よりなるネジ機構６０が設けられている。
【０００５】
このような光源装置を製造する過程においては、ハトメ部材２２の筒部２２ｂを凹面反射鏡２０の内面側から貫通孔２０ａに挿入すると共に、凹面反射鏡２０の外面側から突出した筒部２２ｂを端子部材５１の固定部５１ａにおける筒部用孔に挿入し、この筒部用孔から突出した筒部２２ｂの先端をかしめ折り曲げて加工する。これにより、端子部材５１が凹面反射鏡２０の外面との間に挟圧されて保持されることとなる。この状態において、すなわち、ハトメ部材２２により端子部材５１が凹面反射鏡２０の外面に挟圧されて保持された状態において、エイジングのため、高圧放電ランプ１０を所定時間点灯・消灯する作業が行われる。エイジングを行った後、外部給電線４１を端子部材５１における接続部５１ｂのネジ機構６０によりネジ止めする作業が行われる。
しかしながら、ハトメ部材２２は、エイジングの作業において、高圧放電ランプ１０からの熱の影響により膨張・収縮するため、端子部材５１を挟圧する際にかしめ加工した部分に亀裂が生じる。その後、端子部材５１に外部給電線４１をネジ止めする作業を行うと、端子部材５１を介してハトメ部材２２にも荷重が加えられることにより（図６における矢印方向）、ハトメ部材２２の亀裂が生じた部分を基点として、当該ハトメ部材２２が破損するという問題がある。
【先行技術文献】
【特許文献】
【０００６】
【特許文献１】特開２００９−１１７２８４号公報
【考案の概要】
【考案が解決しようとする課題】
【０００７】
本考案は、以上のような事情に基づいてなされたものであって、その目的は、凹面反射鏡の外面に外部電源との電気的接続を確保するためにハトメ部材を介して端子部材が設けられている光源装置において、ハトメ部材の破損を防止することにより端子部材が脱落することなく凹面反射鏡に強固に保持される光源装置を提供することにある。
【課題を解決するための手段】
【０００８】
本考案の光源装置は、高圧放電ランプと、この高圧放電ランプを取り囲む凹面反射鏡とを具える光源装置において、
前記凹面反射鏡には、前記高圧放電ランプから伸びるランプ給電線が挿通される孔を有するハトメ部材が当該凹面反射鏡の壁を貫通して伸びるように設けられていると共に、前記ランプ給電線と外部給電線とを電気的に接続するための端子部材が設けられており、
前記端子部材は、前記ハトメ部材により前記凹面反射鏡の外面との間に挟圧されて固定された固定部と、この固定部に連続して形成された、前記外部給電線を接続するためのネジ機構を有する接続部と、この接続部に連続して形成された、少なくとも一部が前記凹面反射鏡の外面に当接する支脚部とを有することを特徴とする。
【０００９】
本考案の光源装置においては、前記端子部材における前記固定部は、前記凹面反射鏡の外面に沿って伸びる板状体よりなり、前記端子部材における前記接続部は、前記固定部の一縁から前記凹面反射鏡の外面と離間する方向に伸びる板状体よりなり、前記端子部材における前記支脚部は、前記接続部の一縁から前記凹面反射鏡の外面に向かって伸びる板状体よりなることが好ましい。
【００１０】
本考案の光源装置においては、前記固定部と前記接続部とのなす角が１２０〜１４５°であり、前記接続部と前記支脚部とのなす角が３０〜９０°であることが好ましい。
【考案の効果】
【００１１】
本考案の光源装置によれば、端子部材が、少なくとも一部が凹面反射鏡の外面に当接する支脚部を有することにより、当該光源装置を製造する過程において、外部給電線を端子部材にネジ止めする際の応力が分散され、従って、ハトメ部材に加わる荷重が低減されるため、当該ハトメ部材が破損することが抑制され、その結果、端子部材が脱落することなく凹面反射鏡に強固に保持される。
また、本考案の光源装置によれば、端子部材が支脚部を有することにより、当該端子部材は金属材料により構成されるので、従来の端子部材に比して冷却能力が高くなり、従って、高圧放電ランプの点灯・消灯を繰り返し行っても、この端子部材と接触するハトメ部材は過剰に高温となることが抑制されるので、ハトメ部材の膨張・収縮する程度が低減され、これにより、ハトメ部材の破損をより確実に防止することができる。
【図面の簡単な説明】
【００１２】
【図１】本考案の光源装置の一例における構成を示す説明図用断面図である。
【図２】図１に示す光源装置に係る端子部材およびハトメ部材を拡大して示す説明用断面図である。
【図３】図１に示す光源装置に係る端子部材の構成を示す図であって、（ａ）は平面図であり、（ｂ）は側面図であり、（ｃ）は斜視図である。
【図４】本考案の光源装置に係る端子部材の他の例における構成を示す図である。
【図５】従来の光源装置の一例における構成を示す説明用断面図である。
【図６】図５に示す光源装置に係る端子部材およびハトメ部材を拡大して示す説明用断面図である。
【考案を実施するための形態】
【００１３】
以下、本考案の実施形態について詳細に説明する。
図１は、本考案の光源装置の一例における構成を示す説明図用断面図、図２は、図１に示す光源装置に係る端子部材およびハトメ部材を拡大して示す説明用断面図、図３は、図１に示す光源装置に係る端子部材の構成を示す図であって、（ａ）は平面図であり、（ｂ）は側面図であり、（ｃ）は斜視図である。
この光源装置は、高圧放電ランプ１０と、この高圧放電ランプ１０を取り囲む凹面反射鏡２０と、高圧放電ランプ１０および凹面反射鏡２０を保持するベース３０とを具えている。
【００１４】
高圧放電ランプ１０は、内部に放電空間を形成する外形が略球状の発光部１１と、この発光部１１の両端の各々に一体に連設された、管軸に沿って外方に伸びるロッド状の一方の封止部１２および他方の封止部１３とを有する発光管１０Ａを具えている。発光部１１内には、一対の電極１５が互いに対向するよう配置されている。
封止部１２，１３の各々の外端部には、電極１５に電気的に接続された外部リード１６，１６が外方に突出するように設けられている。
【００１５】
発光管１０Ａは例えば石英ガラスにより構成され、この発光管１０Ａの発光部１１内には、水銀が封入されている。
発光部１１内に封入される水銀の封入量は、例えば０．０８ｍｇ／ｃｍ3 以上とされる。また、発光部１１内には、ハロゲンサイクルにより電極の構成材料であるタングステンなどが発光管の内壁に付着することを防止するため、臭素などのハロゲンガスが例えば１０-6〜１０-2μｍｏｌ／ｍｍ3 封入されている。さらに、点灯始動性を改善するためにアルゴンガスなどの希ガスが例えば静圧で１０〜２６ｋＰａ封入されている。
【００１６】
発光管１０Ａの具体的な寸法の一例を示すと、全長が６０ｃｍであり、発光部１１の軸方向の長さが１３ｍｍ、最大外径が１２ｍｍ、最大内径が６ｍｍで、発光部１１の内容積が１２０ｍｍ3 である。
【００１７】
凹面反射鏡２０は、例えば結晶化ガラスにより構成され、内表面に放物面状の反射面を有する反射部２３と、この反射部２３の光放射方向後方側に連続して凹面反射鏡２０の光軸方向外方に伸びる筒状頸部２４とにより構成されている。
【００１８】
ベース３０は、例えばステアタイトにより構成され、凹面反射鏡２０の筒状頸部２４が収容される大径筒状部３１と、この大径筒状部３１と一体に形成された、大径筒状部３１の外径より小さい外径を有する小径筒状部３２とにより構成されている。
【００１９】
高圧放電ランプ１０は、発光管１０Ａの管軸が凹面反射鏡２０の光軸と一致し、かつ、アーク中心位置が凹面反射鏡２０の焦点位置に一致するよう管軸方向における位置調整が行われた状態で、凹面反射鏡２０内に配置されている。そして、高圧放電ランプ１０は、他方の封止部１３が、ベース３０の大径筒状部３１および小径筒状部３２に挿通された状態で、大径筒状部３１および小径筒状部３２の内周面と他方の封止部１３の外周面との間に形成される環状空隙３４に充填された接着剤３３により、他方の封止部１３が固定され、これにより、ベース３０に保持されている。また、凹面反射鏡２０は、筒状頸部２４がベース３０の大径筒状部３１に収容された状態で、環状空隙３４に充填された接着剤３３により、筒状頸部２４が固定され、これにより、ベース３０に保持されている。
【００２０】
凹面反射鏡２０には、高圧放電ランプ１０と外部電源との電気的な接続を確保するため、一方の封止部１２に設けられた外部リード１６から伸びるランプ給電線４０が挿通される孔２２ｃを有するハトメ部材２２が凹面反射鏡２０の内面から外面に貫通して伸びるように設けられていると共に、ランプ給電線４０と外部給電線４１とを電気的に接続するための端子部材２１が設けられている。
【００２１】
ハトメ部材２２は、例えば黄銅により構成され、凹面反射鏡２０の内面から外面に貫通する貫通孔２０ａに挿通される筒部２２ｂと、この筒部２２ｂの外径より大きい外径を有する円環状の鍔部２２ａとにより構成されている。
【００２２】
端子部材２１は、例えばＳＵＳ（ステンレス鋼）により構成され、ハトメ部材２２により凹面反射鏡２０の外面との間に挟圧されて固定された固定部２１ａと、この固定部２１ａに連続して形成された、外部給電線４１を接続するためのネジ機構６０を有する接続部２１ｂと、この接続部２１ｂに連続して形成された、先端Ｐが凹面反射鏡２０の外面に当接する支脚部２１ｃと、接続部２１ｂに連続して形成された、ランプ給電線４０を溶接して外部給電線４１と電気的に接続するための溶接用舌片部２１ｄとにより構成されている。
なお、本考案において、支脚部２１ｃの少なくとも一部が凹面反射鏡２０の外面に当接するとは、本考案の光源装置を製造する過程において、端子部材２１の接続部２１ｂに外部給電線４１をネジ止めする際に、支脚部２１ｃが、当該支脚部２１ｃの少なくとも一部が凹面反射鏡２０の外面に当接するように構成されていれば、支脚部２１ｃの一部と凹面反射鏡２０の外面との間に微小の間隙を有するものであってもよい。
【００２３】
端子部材２１においては、固定部２１ａは、凹面反射鏡２０の外面に沿って伸びる板状体よりなり、接続部２１ｂは、固定部２１ａの一縁から凹面反射鏡２０の外面と離間する方向に伸びる板状体よりなり、支脚部２１ｃは、接続部２１ｂの一縁から凹面反射鏡２０の外面に向かって伸びる板状体よりなり、溶接用舌片部２１ｄは、接続部２１ｂの側縁から接続部２１ｂに対して垂直方向上方へ伸びる板状体により構成されている。
具体的には、固定部２１ａと接続部２１ｂとのなす角θ1 （図３（ｂ）参照）が１２０〜１４５°、接続部２１ｂと支脚部２１ｃとのなす角θ2 （図３（ｂ）参照）が３０〜９０°、接続部２１ｂと溶接用舌片部２１ｄとのなす角θ3 （図３（ｃ）参照）が０〜９０°であることが好ましい。
【００２４】
また、端子部材２１においては、固定部２１ａには、ハトメ部材２２の筒部２２ｂが挿通される筒部用孔２１１ａが形成され、接続部２１ｂには、外部給電線４１を接続するためのネジ６０ａおよびネジ用孔６０ｂよりなるネジ機構６０が設けられている。
【００２５】
端子部材２１の具体的な寸法の一例を示すと、全長Ｌ（図３（ａ）参照）が１９ｍｍであり、幅Ｄ（図３（ａ）参照）が７ｍｍであり、固定部２１ａと接続部２１ｂとのなす角θ1 が１４０°であり、接続部２１ｂと支脚部２１ｃとのなす角θ2 が９０°であり、接続部２１ｂと溶接用舌片部２１ｄとのなす角θ3 が９０°である。
また、ハトメ部材２２の具体的な寸法の一例を示すと、軸方向の長さが６ｍｍであり、鍔部２２ａの外径が４ｍｍ、筒部２２ｂの外径が２ｍｍであり、孔２２ｃの径が１．６ｍｍである。
【００２６】
以上のような光源装置を製造する過程においては、ハトメ部材２２の筒部２２ｂを凹面反射鏡２０の内面側から貫通孔２０ａに挿入すると共に、凹面反射鏡２０の外面側から突出した筒部２２ｂを端子部材２１の固定部２１ａにおける筒部用孔２１１ａに挿入し、固定部２１ａにおける筒部用孔２１１ａから突出した筒部２２ｂの先端をかしめ折り曲げて加工する。これにより、端子部材２１の固定部２１ａが凹面反射鏡２０の外面との間に挟圧されて保持されることとなる。この状態において、すなわち、ハトメ部材２２により端子部材２１の固定部２１ａが凹面反射鏡２０の外面に挟圧されて保持された状態において、エイジングのため、高圧放電ランプ１０を所定時間点灯・消灯する作業が行われる。エイジングを行った後、外部給電線４１を端子部材２１の接続部２１ｂにおけるネジ機構６０によりネジ止めする作業が行われ、また、ランプ給電線４０を端子部材２１の溶接用舌片部２１ｄに溶接する作業が行われる。これにより、高圧放電ランプ１０と外部電源との電気的接続が確保される。本考案の光源装置においては、エイジングを行った後の外部給電線４１をネジ機構６０によりネジ止めする作業において、接続部２１ｂに対して荷重を加えたとしても、凹面反射鏡２０に当接する支脚部２１ｃの先端Ｐがハトメ部材２２にかかる応力を分散することとなる。従って、端子部材５１をハトメ部材２２によりかしめ加工することにより亀裂が生じた部分があったとしても、外部給電線４１をネジ止めする作業において、当該亀裂が生じた部分を基点として、ハトメ部材２２が破損することが抑制される。
以上のことから、本考案の光源装置によれば、端子部材２１の接続部２１ｂに外部給電線４１をネジ止めする作業を行う場合であっても、端子部材２１が、先端Ｐが凹面反射鏡２０の外面に当接する支脚部２１ｃを有することにより、先端Ｐが凹面反射鏡２０の外面に当接して、ネジ止めの際にかかる応力を分散し、従って、端子部材２１を介してハトメ部材２２に加わる荷重が低減されるため、当該ハトメ部材２２が破損することが抑制され、その結果、端子部材２１が脱落することなく凹面反射鏡２０に強固に保持される。
また、本考案の光源装置によれば、端子部材２１が支脚部２１ｃを有することにより、当該端子部材２１は金属材料により構成されるので、従来の端子部材に比して冷却能力が高くなり、従って、高圧放電ランプ１０の点灯・消灯を繰り返し行っても、この端子部材２１と接触するハトメ部材２２は過剰に高温となることが抑制されるので、膨張・収縮する程度が低減され、これにより、ハトメ部材２２の破損をより確実に防止することができる。
【００２７】
以上、本考案の光源装置の実施の形態について説明したが、本考案は上記の実施の形態に限定されず、以下のように種々の変更を加えることが可能である。
例えば、端子部材２１を構成する支脚部２１ｃは、接続部２１ｂと連続して形成され、少なくとも一部が凹面反射鏡２０の外面に当接する構成とされていればよく、具体的には、例えば図４（ａ）に示すように、支脚部２１ｃは凹面反射鏡２０の外面に当接する部分が当該凹面反射鏡２０の外面に沿って形成された直方体状のものであってもよく、また例えば図４（ｂ）に示すように、支脚部２１ｃは、接続部２１ｂの側縁から凹面反射鏡２０の外面に向かって伸びるよう構成されていてもよい。
【符号の説明】
【００２８】
１０      高圧放電ランプ
１０Ａ    発光管
１１      発光部
１２      一方の封止部
１３      他方の封止部
１５      電極
１６      リード棒
２０      凹面反射鏡
２０ａ    貫通孔
２１      端子部材
２１ａ    固定部
２１１ａ  筒部用孔
２１ｂ    接続部
２１ｃ    支脚部
２１ｄ    溶接用舌片部
２２      ハトメ部材
２２ａ    鍔部
２２ｂ    筒部
２２ｃ    孔
２３      反射部
２４      筒状頸部
３０      ベース
３１      大径筒状部
３２      小径筒状部
３３      接着剤
３４      環状空隙
４０      ランプ給電線
４１      外部給電線
５１      端子部材
５１ａ    固定部
５１ｂ    接続部
６０      ネジ機構
６０ａ    ネジ
６０ｂ    ネジ用孔
Ｐ        先端
【図１】
0003168417.tif 000003
【図２】
0003168417.tif 000004
【図３】
0003168417.tif 000005
【図４】
0003168417.tif 000006
【図５】
0003168417.tif 000007
【図６】
0003168417.tif 000008